(57)【要約】【課題】石柱の空洞内のスペースを有効利用することができ、空洞内への収納物の収納を容易に行うことができる墓の灯火用石碑を提供すること。【解決手段】基台１の上に載置された石柱２の縦方向に形成した空洞２ａの正面部分に開口２ｂが形成され、開口２ｂに開閉自在で光を透過する扉４が取り付けられ、扉４の内側にろうそく立て５が設けられている墓の灯火用石碑。基台１の上面には収納物支持用の凹部７を設けることができる。【選択図】    図１
2004293043.tif 000002
【特許請求の範囲】
【請求項１】
基台の上に載置された石柱の縦方向に形成した空洞の正面部分に開口が形成され、開口に開閉自在で光を透過する扉が取り付けられ、扉の内側にろうそく立てが設けられていることを特徴とする墓の灯火用石碑。
【請求項２】
基台の上面に収納物支持用の凹部が設けられている請求項１に記載の墓の灯火用石碑。
【発明の詳細な説明】
【０００１】
【発明の属する技術分野】
本発明は、墓の周りに配置される灯籠、墓碑あるいは板塔婆や花の収納の役目をする石柱からなる墓の灯火用石碑に関する。
【０００２】
【従来の技術】
墓は、図４の従来の墓の配置図に示すように、墓石９の周りに、墓碑１０、灯籠１１、板塔婆立て１２等が配置されている。墓碑１０には個人の位階勲、没年月日、事跡等の墓誌を刻む、灯籠１１には火を灯す、板塔婆立て１２には板塔婆１３を立てるというそれぞれに役目をもっている。
【０００３】
また、ろうそくが消えないようにした墓前用燭台が特許文献１に、墓前用灯籠が特許文献２に記載されている。
【０００４】
ところが、従来の通常の墓は、場所が狭く、墓石の周りに、墓碑、灯籠、ろうそく立て、板塔婆立てなどを配置するものが多いために墓を造るのに費用が掛かかり、また場所が狭いので、配置が複雑になり掃除しにくく、清潔に保ちにくいという欠点があった。
【０００５】
また、墓前の灯籠は、ろうそくを入れるようにはなっているが、手間がかかり風雨で火が消えるので、殆どの人は墓石の正面の狭い場所にろうそくを灯すため、流油して墓を汚しており、火を灯すことなくただ型式的に建立しているものに過ぎず、灯明の役目を果たしていない。
【０００６】
また、法要などで板塔婆立てに立てた板塔婆が風で墓石回りに散乱して墓の周りを汚しているという欠点もある。
【０００７】
また、前記公報に記載のものは、単にろうそくが消えないようにしただけのものである。
【０００８】
これらの問題点に鑑み、先に、本願出願人は、特願２００２−２５９４８において、灯籠、墓碑あるいは板塔婆立ての役目をすることができる墓の灯火用石碑を提示した。この灯火用石碑は、石柱の縦方向に形成した空洞の正面部分に開口が形成され、開口に開閉自在で光を透過する扉が取り付けられたもので、さらに、空洞の底部にろうそく立てが配置され、ろうそく立ての背後に板塔婆収納部が形成されたものである。
【０００９】
しかし、上記の灯火用石碑では、石柱の空洞の底部にろうそく立てが配置されているので、空洞内が手狭になり、例えば空洞内に花や板塔婆などの収納物を収納しようとした場合、その収納スペースが少なくなるだけでなく、ろうそく立てが邪魔になり収納に手間がかかるという問題が残されていた。
【００１０】
【特許文献１】
特開平１１−１１１０１１号公報
【００１１】
【特許文献２】
特開平１０−２５９２７号公報
【００１２】
【発明が解決しようとする課題】
本発明は、上記の灯火用石碑を改良したもので、石柱の空洞内のスペースを有効利用することができ、空洞内への収納物の収納を容易に行うことができる墓の灯火用石碑を提供することを目的とするものである。
【００１３】
【課題を解決するための手段】
本発明の墓の灯火用石碑は、基台の上に載置された石柱の縦方向に形成した空洞の正面部分に開口が形成され、開口に開閉自在で光を透過する扉が取り付けられ、扉の内側にろうそく立てが設けられていることを特徴とする。
【００１４】
また、本発明では、石柱の空洞の底部上面には収納物支持用の凹部を設けることができる。
【００１５】
さらに、石柱の上部に上面が平坦な嵌合自在の石蓋を設けることができる。
【００１６】
【発明の実施の形態】
以下、図面に示す実施例に基づき本発明の実施の形態を説明する。
【００１７】
図１は、本発明の灯火用石碑の石蓋を外した状態の斜視図、図２（ａ）は石蓋を外した状態の平面図、図２（ｂ）は石蓋を被せた状態の縦断面図である。
【００１８】
図面において、基台１の上に石柱２が載置され、石柱２の上部には石蓋３が被せられるようになっている。必要に応じて、基台１と石柱２をボルト・ナット等で結合してもよい。
【００１９】
石柱２は、横断面がコ字状の四角柱であり、その縦方向に形成された空洞２ａの開口２ｂ部分には扉４が開閉自在に取り付けられている。扉４の扉枠４ａは、ステンレスなどの錆びにくい材質とし、扉４の扉板壁４ｂは光を透過する透明ガラスあるいはすりガラスからなり、ショット加工により文字やデザインをあしらったものを使用できる。また、開口２ｂの開口縁には扉枠４ａを受ける受枠４ｃが設けられ、扉４の外側には取手４ｄが設けられている。
【００２０】
扉４の内側には、ろうそく立て５が設けられている。このように、扉４の内側にろうそく立て５を設けることで、ろうそくの火を灯しやすくなり、安定性も良くなっている。ろうそく立て５にはろうそくが流出しないように廃物皿を設置するとよい。
【００２１】
石柱２の空洞２ａの上部には、ろうそくによる空洞２ａ内の熱気を外に逃がすために排気口２ｃが設けられている。また、基台１の上面には、花立て６を嵌合支持する凹部７が基台１を上下に貫通して設けられている。凹部７は、板塔婆を立てたり、他の収納物を支持するためにも使用できる。また、凹部７に別途の支持台を挿入し、その上に花立て６やその他の収納物を支持させることによって収納物の高さを調節することもできる。
【００２２】
石柱２の上部には空洞２ａ上部から風雨が入るのを防ぐため石蓋３が被せられている。石蓋３は灯籠の形状に形成され、石柱２の上部に載置されている。なお、石蓋の上面を平面にして、その上に従来の灯籠を載置することもできる。また、石柱２の側面あるいは裏面部分には従来の墓碑に刻んでいる戒名・俗名・年月日、事跡等の墓誌を刻むことができる。
【００２３】
図３は本発明の灯火用石碑を配置した墓の全体図である。本発明を適用した墓では、従来の墓に配置されている灯籠、墓碑に代えて本発明の灯火用石碑８を任意の位置に配置する。この配置により墓が簡素化され、掃除もし易くなり、墓を清潔に保つことができる。さらに、本発明の灯火用石碑では、図１，２で説明したように、扉４の内側にろうそく立て５を設けているので、石柱２の空洞２ａ内のスペースを有効利用することができ、空洞２ａ内への花などの収納を容易に行うことができる。さらに、花などの収納物は空洞２ａに収納された後、扉４が閉められるので、風やカラスなどによって散乱することもない。また、ろうそくも扉４が閉められた後は空洞２ａ内に位置するので、風雨によって消えたり、カラスなどによって持ち去られることもない。
【００２４】
以上の実施例では、扉４は片開きであるが、両開きにしてもよい。また、空洞の断面は四角形であるが、丸形あるいは多角形にしてもよいし、丸形と多角形の組み合わせにしてもよい。
【００２５】
【発明の効果】
本発明によれば、従来の灯籠、墓碑、花や板塔婆の収納を一つにまとめたので、整理された且つローコストの墓となる。また、石柱内に空洞を形成し正面に扉、上部に石蓋を被せることで、ろうそくの火を風雨から守ることができ、また、花、板塔婆などの収納もでき、側面等には戒名などの墓誌を入れて墓碑としても使用できるので、整理された墓にすることができる。
【００２６】
また、本発明の灯火用石碑により、灯籠、墓碑を一つにまとめ、更に散乱しやすい花や板塔婆を収納できるようにしたので、狭い場所の複雑さがなくなって墓回りが簡素になり、清潔にまとまりのある整った墓に仕上げることができるとともに、墓全体を美しく保つことができ、また、墓回りが簡素になって掃除がしやすくなり、花や板塔婆が散乱することもないので清潔に保つことができる。
【００２７】
さらに、本発明の灯火用石碑では、扉の内側にろうそく立てを設けているので、石柱の空洞内のスペースを有効利用することができ、空洞内への花や板塔婆などの収納を容易に行うことができる。
【図面の簡単な説明】
【図１】本発明の灯火用石碑の石蓋を外した状態の斜視図である。
【図２】図２（ａ）は石蓋を外した状態の平面図、図２（ｂ）は石蓋を被せた状態の縦断面図である。
【図３】本発明の灯火用石碑を配置した墓の全体図である。
【図４】従来の墓の全体図である。
【符号の説明】
１  基台
２  石柱
２ａ  空洞
２ｂ  開口
２ｃ  排気口
３  石蓋
４  扉
４ａ  扉枠
４ｂ  扉板壁
４ｃ  受枠
４ｄ  取手
５  ろうそく立て
６  花立て
７  凹部
８  灯火用石碑
９  墓石
１０  墓碑
１１  灯籠
１２  板塔婆立て
１３  板塔婆
【図１】
2004293043.tif 000003
【図２】
2004293043.tif 000004
【図３】
2004293043.tif 000005
【図４】
2004293043.tif 000006